(57)【要約】【課題】衣服の下に着用して、衣服の内側に空気を供給することが可能な着用型の送風具を提供する。【解決手段】衣服の下に着用して、衣服の内側に空気を供給する着用型の送風具であって、送風具は、着用者の身体に送風具を支持する支持体と、支持体に対して接続され、通気孔を構成する送風部の取付部と、取付部に対して固定される送風部と、外側に着用した衣服に対して送風部が干渉するのを防止する干渉防止部とを備える着用型送風具である。【選択図】図１
2018188756.tif 000002
【特許請求の範囲】
【請求項１】
衣服の下に着用して、衣服の内側に空気を供給する着用型の送風具であって、
送風具は、着用者の身体に送風具を支持する支持体と、
支持体に対して接続され、通気孔を構成する送風部の取付部と、
取付部に対して固定される送風部と、
外側に着用した衣服が送風部に対して干渉するのを防止する干渉防止部とを備える着用型送風具。
【請求項２】
取付部は、環状帯から構成され、環状帯の端部の開口が通気孔として機能する請求項１に記載の着用型送風具。
【請求項３】
送風部が着用者の身体に干渉するのを防止する第２の干渉防止部を取付部にさらに備える請求項１又は２に記載の着用型の送風具。
【請求項４】
支持体は、着用者の腰部に巻きつけることができる帯状の部材である請求項１ないし３のいずれかに記載の着用型送風具。
【請求項５】
帯状の部材は、着用者の腰痛を緩和する腰痛ベルトである請求項４に記載の着用型送風具。
【請求項６】
支持体は、着用者の胴部に装着することができる上衣状の部材である請求項１ないし３のいずれかに記載の着用型送風具。
【請求項７】
上衣状の部材は、着用者の猫背を矯正する猫背矯正ベルトである請求項６に記載の着用型送風具。
【発明の詳細な説明】
【技術分野】
【０００１】
本発明は、着用型の送風具に関する。
【背景技術】
【０００２】
酷暑環境で作業を行う者が涼感を得る目的で空調服が利用される。例えば、特許文献１に記載された空調服では、衣服の後身頃に衣服内に空気を供給するファンが取り付けられており、このファンを作動させることによって、衣服内に空気を供給する。
【０００３】
空調服以外にも、特許文献２に記載されたようなファン付きのベルトも知られている。このファン付きベルトは、中空のベルト部と、ファン部と、ファン部とベルト部とを接続する筒部とを有する。ファン部から供給された空気は、筒部の中を通って中空のベルト部の中に供給され、ベルト部の上面に設けられた吹き出し口から排出される。吹き出し口が隠れるように上着の裾口をファン付きベルトに被せることで、上着の中に空気を供給することができる。
【先行技術文献】
【特許文献】
【０００４】
【特許文献１】特許第６０１７００６９号公報
【特許文献２】実用新案登録第３０７６８０８号公報
【発明の概要】
【発明が解決しようとする課題】
【０００５】
特許文献１のような空調服では、その背面側に空気を取り込むためのファンが露出する。このため、衣服の外観が特異なものになってしまう。このため、例えば、飲食業や接客業など特異な服装が忌避される職種においては、必ずしも使いやすいものではなかった。
【０００６】
特許文献２のようなベルトもまた、装置の一部を衣服の外に出して使用することを前提としており、やはり特異な服装が忌避される職種においては、必ずしも使いやすいものではなかった。
【０００７】
本発明は、以上のような点に鑑みて、衣服の下に着用して、衣服の内側に空気を供給することが可能な着用型の送風具を提供することを目的とする。
【課題を解決するための手段】
【０００８】
衣服の下に着用して、衣服の内側に空気を供給する着用型の送風具であって、送風具は、着用者の身体に送風具を支持する支持体と、支持体に対して接続され、通気孔を構成する送風部の取付部と、取付部に対して固定される送風部と、外側に着用した衣服が送風部に対して干渉するのを防止する干渉防止部とを備える着用型送風具によって、上記の課題を解決する。この着用型送風具は、白衣、制服、又は作業着などの衣服の下に着用して使用することが可能である。そして、この着用型送風具では、干渉防止部によって外側に着用した衣服が送風部に干渉することを防ぐことができるため、衣服の内部に円滑に空気を供給することが可能になる。
【０００９】
上記の着用型送風具において、取付部は、環状帯から構成され、環状帯の端部の開口が通気孔として機能するものとすることが好ましい。環状帯は帯状かつ環状であるので、送風部を帯の任意の部分に固定することが可能であり、環の端部の開口を送風部から供給される空気の通気孔として利用することが可能になる。
【００１０】
上記の着用型送風具は、送風部が着用者の身体に干渉するのを防止する第２の干渉防止部を取付部にさらに備えるものとすることが好ましい。第２の干渉防止部を配することによって、例えば、取付部を布などの柔軟な素材から構成することが可能になる。そのような柔軟な素材で取付部を構成すれば、着用型送風具の着け心地を向上させることができる。
【００１１】
上記の着用型送風具において、支持体は、例えば、着用者の腰部に巻きつけることができる帯状の部材としてもよいし、着用者の胴部に装着することができる上衣状の部材としてもよい。前者の場合においては、帯状の部材を、着用者の腰痛を緩和する腰痛ベルトとすることが好ましい。後者の場合においては、着用者の猫背を矯正する猫背矯正ベルトとすることが好ましい。
【発明の効果】
【００１２】
本発明によれば、衣服の下に着用して、衣服の内側に空気を供給することが可能な着用型の送風具を提供することができる。
【図面の簡単な説明】
【００１３】
【図１】着用型送風具の一実施形態を示す斜視図である。
【図２】図１の着用型送風具を着用した状態を示す斜視図である。
【図３】図１の着用型送風具を着用した状態を示す斜視図である。
【図４】図１の着用型送風具において、送風部を外した状態を示す斜視図である。
【図５】図１の着用型送付具にとり付けられる送風部の一例を示す正面図である。
【図６】図１の着用型送風具の横断面図である。
【図７】着用型送風具の他の実施形態を示す斜視図である。
【図８】送風部が支持体に密着している状態を示す斜視図である。
【図９】着用型送風具の他の実施形態を示す斜視図である。
【図１０】図１０の着用型送風具を着用した状態を示す斜視図である。
【図１１】図１０の着用型送風具を着用した状態を示す斜視図である。
【発明を実施するための形態】
【００１４】
図面を参照して、本発明に係る実施形態について説明する。以下に示す実施例は、本発明を実施するための形態を示す例に過ぎない。
【００１５】
［ベルト型の着用型送風具］
図１ないし図３、及び図６にベルト型の着用型送風具の一例を示す。この着用型送風具１（以下単に、「送風具」と呼ぶ。）は、衣服４（図６参照）の下に着用して、衣服４の内側に空気を供給するものである。
【００１６】
送風具１は、着用者の身体５に送風具１を支持する支持体１１と、支持体１１に対して接続され通気孔１２１、１２２を構成する送風部１３の取付部１２と、取付部１２に対して固定される送風部１３と、外側に着用した衣服４が送風部１３に対して干渉するのを防止する干渉防止部１４とを備える。
【００１７】
本実施形態の送風具１では、支持体１１を着用者の腰部に巻き付けることができる扁平な帯状の部材から構成している。この帯状の部材は、一端側と他端側に固定具が配されており、固定具によって、図２及び図３に示したように、着用者の腰部に装着することができる。固定具としては、例えば、面ファスナー、または釦が挙げられる。
【００１８】
上記の帯状の部材は、伸縮素材で構成した伸縮部１１１と、織編物などの伸縮性が比較的に少ない素材で構成した非伸縮部１１２とを有しており、腰痛ベルトとして機能する。伸縮素材としては、例えば、加硫ゴムや合成ゴムなどのエラストマー、エラストマーを織り込んだ織布、又は編物などが挙げられる。ベルトを着用する際に、ベルトの一端部と他端部とが着用者の正面側で交差するように引っ張って固定具を固定することによって着用者の腰部を押圧し、腰痛を緩和することが可能となっている。帯状の部材は、特に伸縮性が必要ない場合は伸縮性が比較的に少ない素材のみで構成してもよいし、全体を伸縮性を有する素材で構成してもよい。
【００１９】
本実施形態の送風具１では、支持体として機能するベルトの表側に電源の収納部１１３を設けている。図１に示した例では、収納部１１３は上方に開口を設けたポケットから構成される。このような収納部１１３には、後述する送風部１３を駆動するのに必要な電力を供給するバッテリーなどの電源を収納することができる。
【００２０】
取付部１２は、後述する送風部１３を取り付ける部分であり、送風部１３から供給される空気（風）を通気させて衣服内に供給する通気孔１２１、１２２を構成する。本実施形態の送風具１では、取付部１２は、環状帯から構成されており、環状帯の両端部の開口が通気孔１２１、１２２として機能する。この第１及び第２の通気孔１２１、１２２は、着用者の身体の幅方向に空気を排出させる。
【００２１】
本実施形態の送風具１では、取付部１２を構成する帯状の部材の一端と他端とが支持体１１（ベルト）の背面側に縫着されている。取付部１２の構成方法はこれに限定されず、例えば、帯状の部材の一端側と他端側とを縫合して環状にし、この環状体を支持体１１の背面側に縫着してもよい。取付部１２を構成する素材は、特に限定されない。本実施形態の送風具１では、織編物などの伸縮性が比較的に少ない素材で構成した布で取付部１２を構成している。取付部１２は、例えば、プラスチック材料などの硬質な素材で構成したり、布にプラスチック材料やワイヤーなどで構成した補強材を組み合わせてもよい。このようにすれば、取付部１２に定型性を持たせることが可能になる。
【００２２】
本実施形態の送風具１では、第３及び第４の通気孔１２３、１２４が取付部１２と支持体１１との接合部分に設けられている。通気孔１２３、１２４は、着用者の背丈方向に空気が排出されるように設けられている。送風具１は、第１から第４の通気孔１２１、１２２、１２３、１２４を備えているため、着用者の幅方向及び背丈方向の両方に空気を効率的に供給し、着用者の身体を効率的に冷却することが可能である。
【００２３】
取付部１２を構成する環状帯には、図４に示したように、その中ほどに貫通孔１２５が配される。貫通孔１２５は環状の取付部１２の内側の空間及び貫通孔１２１、１２２、１２３、１２４と連通している。貫通孔１２５の縁には保護具１２６が固定されている。図４に示したように、保護具１２６は、貫通孔１２５の縁を覆って、取付部１２を構成する生地等の素材の端部が解れたり、破れたりしないようにする。保護具１２６は、合成ゴムなどの弾性素材から構成されており、取付部１２を構成する素材に追従して曲ることができる。
【００２４】
上記の保護具１２６は、図４に示したように、後述する送風部１３に設けられた取付用のフランジ１３１に対応する凹部１２７を備えている。この凹部１２７に送風部１３のフランジ１３１を嵌めることで、送風部１３を固定する位置を定めることができる。送風部１３を保護具１２６に固定するには、図６に示したように、凹部１２７にフランジ１３１を嵌めた状態で、環状の取付部１２の内側から環状の固定具１３２を送風部１３のケース１３３の外側に嵌めて、固定具１３２とフランジ１３１とで保護具１２６を挟むようにする。固定具１２６が脱落しないように、固定具１２６とケース１３３とを爪を用いて係合させるようにしてもよい。
【００２５】
送風部１３は、衣服４の内部に空気を供給することができるものであればよい。本実施形態の送風具１では、図５及び図６に示したように、送風部１３として、ファン１３４と、ファン１３４を回転させる駆動源１３５と、ファン１３４を内蔵するケース１３３と、ケース１３３の上端部又は下端部に設けられ、ファンの回転軸に交差する方向に突出するフランジ１３１と、ケース１３３に嵌めることができる蓋体１３６と、固定具１３２とを含む。蓋体１３６とケース１３３は、図５に示したように、格子状となっている。このため、ファン１３４を回転させると蓋体１３６を経て空気が取り込まれ、ケース１３３を経て、衣服４の中に空気が排出される。
【００２６】
駆動源１３５としては、例えば、小型のモータが挙げれられる。例えば、モーターには図示しない小型のバッテリーを接続するなどして、ファン１３４を回転させる電力をモーターに対して供給すればよい。そして、バッテリーは、収納部１１３に収納すればよい。
【００２７】
本実施形態の送風具１は、図１及び図６に示したように、外側に着用された衣服４が送風部１３に対して干渉するのを防止する干渉防止部１４を備える。干渉防止部１４は、送風部１３が作動した際に衣服４が送風部１３に対して密着することを防止することが可能な形状すればよい。例えば、本実施形態の送風具１においては、筒状部材を送風部１３のファン１３４の外周部分に固定して、衣服４が送風部１３に対して干渉しないようにしている。上記の筒状部材の基端側は、フランジ１３１及びケース１３３と一体に成形されている。筒状部材とフランジとは、掛止用の突起を利用して、脱着可能に構成してもよい。筒状部材は、図５に示したように、通気性を持たせるために側面が格子状となっている。通気性を持たせるために貫通孔を筒状部材に設けてもよい。
【００２８】
干渉防止部１４は、衣服４が送風部１３に干渉することを防止する。このため、図６において矢印で示したように、衣服４の外や衣服の中から空気が効率よく、送風部１３に取り込まれる。
【００２９】
本実施形態の送風具１では、図１及び図６に示したように、送風部１３が着用者の身体や支持体１１に干渉するのを防止する第２の干渉防止部１５を取付部１２にさらに設けている。第２の干渉防止部１５は、環状の取付部１２の内側、すなわち支持体１１と取付部１２との間に第２の干渉防止部１５が配置される。第２の干渉防止部１５は、上記の干渉防止持部１４と同様に、送風部１３が作動した際に送風部１３が着用者の身体５や支持体１１に対して密着することを防止することが可能な形状すればよい。例えば、本実施形態の送風具１においては、筒状部材を送風部１３のファン１３４の外周部分に固定して、送風部１３と着用者の身体５又は支持体１１が干渉しないようにしている。上記の筒状部材は、その基端側が固定具１３２と一体に成形されており、通気性を持たせるために格子状となっている。通気性を持たせるために貫通孔を筒状部材に設けてもよい。なお、筒状部材は、掛止用の突起を利用して、固定具１３２に対して脱着可能に構成してもよい。
【００３０】
第２の干渉防止部１５によって、送風部１３と着用者の身体又は支持体１１とが干渉しないようにされているため、図６において矢印で示したように、送風部１３から供給された空気は、第１ないし第４の貫通孔１２１、１２２、１２３、１２４から排出され、衣服４の内側に供給されて、着用者の身体５を効率的に冷却することが可能になる。
【００３１】
第２の干渉防止部１５は、図７に示したように、省略してもよい。図７示した送風具２では、取付部１２を硬質な素材で構成している。このため、送風部１３が着用者の身体５又は支持体１に干渉することが防止される。
【００３２】
ファン１３４を内蔵するケース１３３は、図８に示したように、着用者の身体５に向く面、すなわち、空気の排出口が側面視において略円弧状となっている。このため、図８に示したように、たとえ、送風部１３が着用者の身体５又は支持体１１に密着したとしてもケース１３３の曲面部分１３７から吸気を衣服の内部に供給するすることが可能になる。また、ケース１３３が略円弧状になっているため、着用者の身体５がケース１３３に密着したとしても、ケース１３３の角が着用者の身体５に当たることがないので不快感を軽減することが可能になる。以上のように、送風具２においては、取付部１２を織布などの軟質な素材で構成することも可能である。
【００３３】
上述の送風具１、２は、いずれも扁平なベルト型であるので、衣服の下に送風具１、２が完全に隠れるように衣服を着用することが可能である。これにより、ユーザーが職場で普段から使用している衣服の下に送風具１、２を着用して、涼感を得ることが可能になる。送風具１、２は衣服４の下に完全に隠れるので、特異な外観になることを防止することができる。送風具１、２では、支持体１１に腰痛を緩和する機能を持たせているので、涼感を得るだけではなく、着用者の腰痛を改善する効果も得られる。
【００３４】
［上衣型の着用型送風具］
図９ないし図１１に上衣型の着用型送風具の一例を示す。この送風具３（以下単に、「送風具」と呼ぶ。）は、上述の送風具３と同様に、衣服４（図６参照）の下に着用して、衣服４の内側に空気を供給するものである。
【００３５】
この送風具３は、支持体３１を上衣状の部材にした点で、上記の送風具１、２とは相違する。この送風具３と上記の送風具１、２とで共通する構成については、図９から図１１において、送風具１、２の説明で使用したのと同一の符号を使用した。図９等から明らかなように、支持体３１を除いて、取付部１２、送風部１３、干渉防止部１４、及び第２の干渉防止具１５の構成は、上記の送風具１、２と同様である。
【００３６】
本実施形態の送風具３では、支持体３１は、着用者の腰部に巻きつけるベルト３１１と、着用者の背中を覆う背部３１２と、背部３１２の上端部分から着用者の背面側の肩から前脇部を覆うように延びる第１のストラップ３１３と、一端側が第１のストラップ３１３に接続され、他端側が背部３１２の下方に接続される第２のストラップ３１４とを有する。着用者は、第１のストラップ３１３と第２ストラップ３１４によって構成される環に腕を通することで、送風具３を着用することができる。背部３１２及び第１のストラップ３１３は、弾性素材から構成され、着用者の姿勢が猫背になると背部３１２と第１のストラップ３１３とに張力が掛かるようになっている。着用者は、張力によって自身の姿勢が猫背になっていることを認識し、姿勢を修正するように意識することが可能になる。
【００３７】
第２のストラップ３１４は、織布等の伸縮性に乏しい素材から構成されている。第２のストラップ３１４には、第２のストラップ３１４の長さを調節することができるバックル３１５が配されている。着用者は、第２のストラップ３１４の長さを調節することによって、猫背姿勢になったときに背部３１２及び第１のストラップ３１３にかけられる負荷を調節することができる。
【００３８】
ベルト３１１の一端側と他端側には、送風具１、２で説明したのと同様の固定具が配される。着用者は、ベルトの一端と他端が交差するようにして、固定具でベルトを腰部に固定することができる。ベルト３１１には、送風具１、２で説明したのと同様の伸縮部１１１を設けたり、ベルト全体を伸縮性素材で構成することにより、ベルト３１１に腰痛緩和効果を持たせてもよい。
【００３９】
本実施形態の送風具３では、取付部１２は、その一端側と他端側とが背部３１２の背丈方向及び幅方向の中ほどに縫着されており、環状となっている。送風具３を着用した状態でその外側に衣服４を着ると、衣服４の内部に送風部１３から空気を供給して、着用者の身体５を冷却することが可能になる。例えば、ユーザーが職場で普段から使用している衣服の下に送風具３を着用して、涼感を得ることが可能になる。送風具３は、扁平なベルトと扁平な上衣とを組み合わせた形状であり、衣服の下に完全に隠れるので、特異な外観になることを防止することができる。本実施形態の送風具３では、支持体３１に猫背を矯正する機能を持たせているので、涼感を得るだけではなく、着用者の猫背姿勢を改善する効果も得られる。
【００４０】
上記の実施形態では、支持体がベルト又は上衣である例を示した。支持体は、これらの構成に限定されず、例えば、着用者の身体にフィットして、送風具を支持できて、上に衣服を着用することが可能な扁平な形状であればよい。支持体としては、例えば、四肢に巻き付けることが可能なバンド、下着、又はベストなどが挙げられる。
【符号の説明】
【００４１】
４      衣服
１      着用型送風具
２      着用型送風具
３      着用型送風具
１１    支持体
１２１  通気孔
１２２  通気孔
１２    取付部
１３    送風部
１４    干渉防止部
１５    第２の干渉防止部
【図１】
2018188756.tif 000003
【図２】
2018188756.tif 000004
【図３】
2018188756.tif 000005
【図４】
2018188756.tif 000006
【図５】
2018188756.tif 000007
【図６】
2018188756.tif 000008
【図７】
2018188756.tif 000009
【図８】
2018188756.tif 000010
【図９】
2018188756.tif 000011
【図１０】
2018188756.tif 000012
【図１１】
2018188756.tif 000013